(57)【要約】【課題】  公営競技の投票者に対する表示サービスの情報提供に関し、重勝賭式の場合に各レースの競走体毎の支持率を算出し表示する重勝賭式表示装置、重勝賭式表示プログラムおよび重勝賭式表示方法を提供することを目的とする。【解決手段】  投票端末からレース番号とそのレースに出走する競走体の番号との組合せ、およびその組合せに投票する投票金額を含む重勝賭式の投票情報を取得し、各レースの競走体毎の投票数を集計して全投票数に対する支持率を求め、競走体毎の支持率を表示するよう構成する。【選択図】    図１
2006079364.tif 000002
【特許請求の範囲】
【請求項１】
投票端末から重勝賭式に対するレース番号と該レースに出走する競走体の番号との組合せと、該組合せに対する投票金額を含む投票情報を取得する投票情報取得手段と、
前記投票情報取得手段で取得した投票情報を前記レース番号の前記競走体毎に前記投票金額を基に投票数を集計する投票数集計手段と、
前記投票数集計手段で集計した前記レース番号の前記競走体毎の投票数を全投票数に対する比率を支持率として算出する支持率算出手段と、
前記算出した前記レース番号の前記競走体毎の支持率を所定の形式で表示する支持率表示手段と
を有することを特徴とする重勝賭式表示装置。
【請求項２】
前記支持率表示手段は、支持率を支持率の大きさに準じた記号で表示することを特徴とする請求項１記載の重勝賭式表示装置。
【請求項３】
前記支持率表示手段は、支持率を支持率の大きい順序で表示することを特徴とする請求項１および請求項２記載の重勝賭式表示装置。
【請求項４】
投票端末から重勝賭式に対するレース番号と該レースに出走する競走体の番号との組合せと、該組合せに対する投票金額を含む投票情報を取得する投票情報取得手段と、
前記投票情報取得手段で取得した投票情報を前記レース番号の前記競走体毎に前記投票金額を基に投票数を集計する投票数集計手段と、
前記投票数集計手段で集計した前記レース番号の前記競走体毎の投票数を全投票数に対する比率を支持率として算出する支持率算出手段と、
前記算出した前記レース番号の前記競走体毎の支持率を所定の形式で表示する支持率表示手段と
をコンピュータに機能させるための重勝賭式表示プログラム。
【請求項５】
投票端末から重勝賭式に対するレース番号と該レースに出走する競走体の番号との組合せと、該組合せに対する投票金額を含む投票情報を取得する投票情報取得手順と、
前記投票情報取得手順で取得した投票情報を前記レース番号の前記競走体毎に前記投票金額を基に投票数を集計する投票数集計手順と、
前記投票数集計手順で集計した前記レース番号の前記競走体毎の投票数を全投票数に対する比率を支持率として算出する支持率算出手順と、
前記算出した前記レース番号の前記競走体毎の支持率を所定の形式で表示する支持率表示手順と
を有することを特徴とする重勝賭式表示方法。
【発明の詳細な説明】
【技術分野】
【０００１】
本発明は公営競技の投票者に対する表示サービスの情報提供に関し、より詳細には重勝賭式投票法において各競走体の投票数に対する支持率を算出し、レース毎の競走体の支持率を所定の形式で表示する重勝賭式表示装置、重勝賭式表示プログラムおよび重勝賭式表示方法に関する。
【背景技術】
【０００２】
公営競技の売上高は中央競馬では平成９年をピークに、中央競馬を除く他の公営競技では平成３年をピークに漸減の傾向にあり、活性化のための施策が求められている。このような状況の中で競馬法の改正が行われ、２００５年から重勝賭式馬券投票法の導入が行われようとしている。
【０００３】
重勝賭式馬券投票法は、複数のレースの勝馬を当てる投票法であり、例えば特定の６レースの単勝を当てる６重勝単勝式や６レースの連勝を当てる６重勝連勝式などがある。何れにしても今までの投票法（単勝や複勝、３連複など）に較べて高額配当が期待できることから、離れて行ったファンを呼び戻す狙いがある。
【０００４】
競技場の内外において投票者に対する情報提供として、投票券に対する払い戻し倍率であるオッズをモニタなどにリアルタイムに表示することが行われている。オッズは馬や舟などの競技体の人気を示すものでもあり、投票者はこのオッズを参考にして投票券の購入を行っている。従ってオッズの表示は全ての掛け目に対して表示することが望ましいが、掛け目が多い場合に表示しきれない、と言う問題がある。例えば、競馬における１６頭立ての６重勝単勝式では掛け目は約１，６７０万通りあり、これが１８頭立てになると約３，４００万通りにもなり全ての掛け目に対するオッズの表示は困難である。これは重勝賭式投票法だけの問題ではなく、３連複や３連単のオッズ表示でも同様である。例えば、３連単の表示方法として１着と２着の組合せに対して残りの３着を組み合わせたときのオッズの最小値と最大値を表示することで表示情報量の削減を図る提案がある（特許文献１）。
【０００５】
また、携帯電話やハンドヘルドデバイスを用いて投票者が選択した掛け目を送信するとそれに基づいてオッズ情報を受信し表示する方法も提案されている（特許文献２）。
【特許文献１】特開２００１−２４３３９４号公報
【特許文献２】特開２００３−５２５４５８号公報
【発明の開示】
【発明が解決しようとする課題】
【０００６】
上記に示したように競馬では重勝賭式投票法が導入されようとしているが、この重勝賭式投票法において従来のようなオッズ情報を表示することはその組合せの数が膨大となることからモニタへの表示が困難である。前述した特許文献１の方法は情報量を削減して表示を行うものであるが、３連単の場合の情報量の削減方法を重勝賭式投票法に適用することは困難である。また特許文献２に示す方法は、投票者が指定した組合せに対するオッズ値を知ることができるが、他の組合せのオッズを知って人気の状況を知ることは困難である。
【０００７】
そこで、重勝賭式投票法におけるオッズの表示に替わるものとして、投票者の投票券購入に対して参考となる情報の提供が求められる。本発明は、このような考えにたって重勝賭式投票法における情報提供の新しい表示方法を提案するものである。
【課題を解決するための手段】
【０００８】
本発明の重勝賭式表示装置、重勝賭式表示プログラムおよび重勝賭式表示方法は以下のように構成される。
（１）第１の発明
第１の発明は各レースの競走体毎に投票者によって投票された投票数を支持率で表示するものである。
【０００９】
図１は発明の原理を示すもので投票情報取得手段１０、投票数集計手段２０、支持率算出手段３０および支持率表示手段４０で構成する。
【００１０】
投票情報取得手段１０は、投票端末から重勝賭式の投票情報を取得する。この投票情報は、レース番号とそのレースに出走する競走体との組合せ、およびその組合せに対する投票金額を含むものである。ここで、競走体とは、競馬であれば「馬」、競艇では「舟」、競輪では「自転車」そしてオートレースであれば「車」のことである。また、レース番号と出走する競走体との組合せとは、例えば競馬の３重勝単勝では第１レースの１番、第２レースの３番および第３レースの５番（ｎ番のｎは１着の馬番号）のことを言う。また、例えば３重勝馬単（３重勝馬番連勝単式）では、第１レースの１−２、第２レースの３−４および第３レースの５−６（ｎ−ｍのｎは１着の馬番号、ｍは２着の馬番号）のことを言う。
【００１１】
投票数集計手段２０は、取得した投票情報を基に各レースの競走体毎に投票数を集計することを行う。投票数は投票金額から求めることができる。
【００１２】
支持率算出手段３０は、各レースの競走体毎の投票数に対する支持率を算出する。支持率は、全投票数に対するそれぞれの投票数の割合（即ち、投票数／全投票数）である。
【００１３】
支持率表示手段４０は、支持率算出手段３０で算出した支持率を所定の表示形式で表示する。
【００１４】
本構成により、各レースの各競走体の支持率を表示する装置の提供ができ、投票者は装置が表示する人気のある競走体を知って重勝賭式の投票券の購入の参考とすることができる。
（２）第２の発明
第２の発明は、支持率を記号により表示するものである。即ち、支持率表示手段４０において支持率の大きさに準じた記号を定めておき、支持率の数値に変えて記号を表示させるものである。例えば、２０％台の支持率に対しては★マーク２つを表示する。
【００１５】
これにより、直感的に人気の高さを知ることができる。
（３）第３の発明
第３の発明は、支持率表示手段４０において支持率の大きい（支持率が高い）順序で競走体の支持率を表示するものである。
【００１６】
これにより、人気の高い競走体を表示されたレース内から捜す必要はなくなる。
（４）第４の発明
第４の発明は第１の発明に基づいた重勝賭式表示プログラムである。
（５）第５の発明
第５の発明は第１の発明に基づいた重勝賭式表示方法である。
【発明の効果】
【００１７】
第１の発明により、投票者は他の人がどの競走体を支持していることを参考にして投票券の購入ができる。
【００１８】
第２の発明により、投票者がモニタから離れていても競走体の人気が一目で判る。
【００１９】
第３の発明により、人気の高い競走体を個々のレース内で捜す手間が省ける。
【００２０】
第４の発明および第５の発明により、重勝賭式の投票券購入における人気の競走体の情報提供ができる重勝賭式表示プログラムおよび重勝賭式表示方法の提供ができる。
【実施例】
【００２１】
本発明の実施例について図２から図９を用いて説明する。図２は支持率表示システムの構成を説明する図である。
【００２２】
支持率表示サーバ１００は投票端末２００とモニタ３００をネットワークを介して接続している。投票端末２００は競技場内および場外の専用端末であり、投票者によって記入された投票カードから投票情報を読み取って支持率表示サーバ１００に送信する。モニタ３００は投票者に対して表示サービスを行うもので、本発明の重勝賭式の支持率を表示したり、出走表や的中情報の表示を行う。
【００２３】
支持率表示サーバ１００は、データやプログラムを制御するＣＰＵ(Central Process- ing Unit)１１０、投票端末２００やモニタ３００との通信を制御する通信制御部１２０、各競走体の支持率を求め表示する重勝賭式表示プログラム１３０、投票端末２００から送信された投票情報を基に各レースの競走体毎の票数を格納した票数ＤＢ１４０および各競走体毎に算出した支持率を格納した支持率ＤＢ１５０から構成する。
【００２４】
重勝賭式表示プログラム１３０は、投票情報を投票端末２００から取得する投票情報取得部１３１、取得した投票情報を基に各レースの各競走体に対する投票数を集計して票数ＤＢに格納する投票数集計部１３２、各競走体の票数を基に支持率を算出し支持率ＤＢ１５０に格納する支持率算出部１３３および支持率ＤＢ１５０の支持率情報をモニタ３００に表示する支持率表示部１３４から構成する。
【００２５】
次に票数ＤＢ１４０と支持率ＤＢ１５０について説明する。
【００２６】
票数ＤＢ１４０は、投票数集計部１３２のプログラムによって各レースの各競走体毎の投票数を格納したものであるが、格納されたデータ例を示す前に取得する投票情報のデータ例を示す。図３は６重勝単式（主催者が指定した６レースについて、各レースの１着となる馬番を的中させるもの）のデータ例で各レースと投票した馬番の関係を示す。ここでは主催者は第１〜第６レースを６重勝単式のレースと指定し、各レース１８頭立てとしている（図３の「Ｎｏ．」は１〜１８頭の馬の番号を示す）。図３では第１レースで投票された馬番１番に３票、馬番２番に１票（合計４票が投票されたことになる）に対し、それぞれの票は第２、第３レースに対してもそれぞれの馬番が指定される（各レースに投票された票の関係を矢印で示している）。第１から第３レースまで指定された投票は１−２−３、１−２−３、１−１−３、２−２−３（ａ−ｂ−ｃのａは第１レース、ｂは第２レース、ｃは第３レースの各馬番を示す）である。更に、第４〜第６レースについても同様に指定される。投票数が０のものも含めて図３のように全ての組合せのデータを格納しょうとすると前述のように約３４００万通りのデータを保持することになるが、票数ＤＢ１４０では図４のように各レースの馬番号に対応した票数を保持する。即ち、第１〜第６レースの１〜１８の馬番号に投票された票数を格納する。
【００２７】
支持率ＤＢ１５０は、図４に示される各競走体の票数を全体の票数で割った値を支持率として格納したものでその例を図５に示す。即ち、図４の全投票数は４票であるので、支持率は各票数を４で割った値である。従って、図５において第１レースの１番の馬は投票総数の７５％（３／４）の支持を得ており、同レースの２番の馬は２５％（１／４）の支持を得ていることを示している。第２、第３レースでも同様にして支持率を求める。
【００２８】
次に、支持率表示サーバ１００の処理フローを図６を用いて説明する。図６において、まず支持率表示サーバ１００は図示しない計時装置により重勝賭式の投票の受付時間内であることを確認して、投票端末２００から送信された投票情報をリアルタイムに取得する。取得した投票情報を基に票数ＤＢ１４０を参照して投票されたレースの馬番の票数を取り出す。その値に投票情報の投票金額に相当する投票数を加え、票数ＤＢ１４０の元の位置に格納する。１つの投票情報からは６重勝の場合少なくとも６回この処理が行われることになる（Ｓ１００〜Ｓ１３０）。
【００２９】
次に、支持率表示サーバ１００はやはり図示しない計時装置により支持率表示の表示インターバルの時間かどうかを判定（例えば、１分間隔で表示する）し、表示時間であれば票数ＤＢ１４０を参照して各レースの競走体の票数を全投票数で割り、支持率を求める。支持率は全ての競走体について求め、この結果を支持率ＤＢ１５０に格納する。続いて、格納した支持率の情報をモニタ３００に表示する。次に、この表示が投票受付時間後の所定時間を過ぎているかどうかを判定し、過ぎていなければＳ１００に戻る。過ぎていれば支持率は変わらないので終了となる（Ｓ１４０〜Ｓ１８０）。
【００３０】
Ｓ１００において、投票受付時間を過ぎているようであれば、受付終了直前の投票情報による支持率が表示に反映されていない場合があるのでＳ１２０にジャンプし、支持率を算出して表示することになる。
【００３１】
以上説明したフローにより、投票端末２００から投票情報を取得して各競走体の票数を蓄積し、所定のインターバルで表示を行うことができる。本実施例では所定のインターバルで支持率の表示を行うようにしたが、投票端末２００から投票情報を取得したタイミングで支持率を表示するようにしてもよい。このようにすればリアルタイムで支持率の表示がなされることになる。
【００３２】
次に、モニタ３００への表示例を示す。図７は、第６〜第１１レースが主催者によって指定された６重勝単勝の支持率表示の例である。各レースの馬番毎に支持率の値を表示している（図７の「Ｎｏ．」は馬の番号を示す）。
【００３３】
また、図８は図７の支持率を記号で表示した例を示すものである。この例では、「★」１つが１０％を表すものとして数値に置き換えて表示している。即ち、「★」１つが１０％台、２つが２０％台、３つが３０％台の支持率であることを示している。投票者はこの表示により一目で人気の馬を知ることができる。支持率を記号によって表示することにより見易くなるが、支持率の大きさに準じた色を付けて表示することも有効である。例えば、３０％台の数値は赤色、２０％は黄色などである。また、支持率の数値と記号を所定時間（例えば３０秒）で交互に表示することも有効である。
【００３４】
また、図９は３重勝馬単（３重勝馬番連勝単式）の場合の表示例である。ここでは、主催者が３重勝馬単のレースを第７、第９、第１０レースと指定し、人気上位１０までをそれぞれのレースの１、２着の順番の組合せに対する支持率を記号で表示している。
【００３５】
以上の実施例に関し、さらに以下の付記を開示する。
（付記１）
投票端末から重勝賭式に対するレース番号と該レースに出走する競走体の番号との組合せと、該組合せに対する投票金額を含む投票情報を取得する投票情報取得手段と、
前記投票情報取得手段で取得した投票情報を前記レース番号の前記競走体毎に前記投票金額を基に投票数を集計する投票数集計手段と、
前記投票数集計手段で集計した前記レース番号の前記競走体毎の投票数を全投票数に対する比率を支持率として算出する支持率算出手段と、
前記算出した前記レース番号の前記競走体毎の支持率を所定の形式で表示する支持率表示手段と
を有することを特徴とする重勝賭式表示装置。
（付記２）
前記支持率表示手段は、支持率を支持率の大きさに準じた記号で表示することを特徴とする付記１記載の重勝賭式表示装置。
（付記３）
前記支持率表示手段は、支持率を支持率の大きい順序で表示することを特徴とする付記１および付記２記載の重勝賭式表示装置。
（付記４）
前記支持率表示手段は、支持率の数値と該支持率の大きさに準じた記号とを所定時間間隔で交互に表示することを特徴とする付記１記載の重勝賭式表示装置。
（付記５）
前記支持率表示手段は、支持率を支持率の大きさに準じた色で表示することを特徴とする付記１記載の重勝賭式表示装置。
（付記６）
投票端末から重勝賭式に対するレース番号と該レースに出走する競走体の番号との組合せと、該組合せに対する投票金額を含む投票情報を取得する投票情報取得手段と、
前記投票情報取得手段で取得した投票情報を前記レース番号の前記競走体毎に前記投票金額を基に投票数を集計する投票数集計手段と、
前記投票数集計手段で集計した前記レース番号の前記競走体毎の投票数を全投票数に対する比率を支持率として算出する支持率算出手段と、
前記算出した前記レース番号の前記競走体毎の支持率を所定の形式で表示する支持率表示手段と
をコンピュータに機能させるための重勝賭式表示プログラム。
（付記７）
投票端末から重勝賭式に対するレース番号と該レースに出走する競走体の番号との組合せと、該組合せに対する投票金額を含む投票情報を取得する投票情報取得手段と、
前記投票情報取得手段で取得した投票情報を前記レース番号の前記競走体毎に前記投票金額を基に投票数を集計する投票数集計手段と、
前記投票数集計手段で集計した前記レース番号の前記競走体毎の投票数を全投票数に対する比率を支持率として算出する支持率算出手段と、
前記算出した前記レース番号の前記競走体毎の支持率を所定の形式で表示する支持率表示手段と
を有することを特徴とする重勝賭式表示方法。
【図面の簡単な説明】
【００３６】
【図１】発明の原理図である。
【図２】支持率表示システムの構成例である。
【図３】６重勝単式のデータ例である。
【図４】票数ＤＢのデータ例である。
【図５】支持率ＤＢのデータ例である。
【図６】支持率表示サーバの処理フロー例である。
【図７】支持率の数値表示例である。
【図８】支持率の記号表示例である。
【図９】支持率の人気順記号表示例である。
【符号の説明】
【００３７】
１０    投票情報取得手段
２０    投票数集計手段
３０    支持率算出手段
４０    支持率表示手段
１００  支持率表示サーバ
１１０  ＣＰＵ
１２０  通信制御部
１３０  重勝賭式表示プログラム
１３１  投票情報取得部
１３２  投票数集計部
１３３  支持率算出部
１３４  支持率表示部
１４０  票数ＤＢ
１５０  支持率ＤＢ
２００  投票端末
３００  モニタ
【図１】
2006079364.tif 000003
【図２】
2006079364.tif 000004
【図３】
2006079364.tif 000005
【図４】
2006079364.tif 000006
【図５】
2006079364.tif 000007
【図６】
2006079364.tif 000008
【図７】
2006079364.tif 000009
【図８】
2006079364.tif 000010
【図９】
2006079364.tif 000011